(57)【要約】【課題】当選か否かが開封等により容易に把握することが可能で無駄なアクセスを減らすことが可能になり、広い範囲の利用者が望め、より裾野の広い販売促進や広告効果や調査結果が得られ易く、アクセス数が少なくて済み、通信環境、すなわちインターネットの場合においてはそのＷＥＢサーバーの処理速度や処理容量や通信回線の太さなどの設備容量に対する投資を低くでき、場合分け処理などが少なくて済み、この懸賞全体に係る管理業務も簡単になる懸賞方法等の提供が求められていた。【解決手段】すくなくとも当選か否かを表示する懸賞対象品に対し当選した場合のみ識別記号を表示するとともに、通信回線を介して当選による応募を受け付ける場合に前記識別記号を用いて認証するサーバを運営することを特徴とする懸賞方法を提供する。【選択図】図１
2005182416.tif 000002
【特許請求の範囲】
【請求項１】
すくなくとも当選か否かを表示する懸賞対象品に対し当選した場合のみ識別記号を表示するとともに、通信回線を介して当選による応募を受け付ける場合に前記識別記号を用いて認証するサーバを運営することを特徴とする懸賞方法。
【請求項２】
すくなくとも当選か否かを表示する懸賞対象品が、当選した場合のみ識別記号を表示するとともに、前記当選か否かの表示と前記識別記号の表示位置が、懸賞対象品の販売もしくは頒布時に見えない位置であることを特徴とする懸賞対象品。
【発明の詳細な説明】
【技術分野】
【０００１】
本発明は、当選可能性がある懸賞対象品を販売もしくは頒布し、受領した者が通信回線を介して応募する仕組みの懸賞方法、およびその懸賞に用いる懸賞対象品に関する。
【背景技術】
【０００２】
従来からインターネット等の電気や光、無線などの通信回線を用いた懸賞が行われていた。この様な懸賞においては、各種の方式が存在した。
【０００３】
例えば、引用文献１の様な懸賞方式である。これは、本発明は商品等における販売促進方法とそのシステムを新規に提供することを目的として、販売または頒布商品であることを個々に識別可能とする記号・数字・文字などよりなる識別表示を直接または間接的に商品等に付して販売または頒布して、該商品等の購買者等が前記識別表示をインターネット回線等を介して提示することにより販売者等の真正認知を得、アンケート回答や懸賞付き抽選・ゲームやクイズ等の交信へとステップアップできるように処理するようにして、該交信により入力された購買者等のデータを分析分類の処理を含めて登録蓄積し、さらに蓄積された購買者等のデータをもとに販売者等の提供したい情報を購買者等に自動的且つ選択的に提供することができるようにした商品等の販売促進方法に関する技術である。
【０００４】
また、これはパッケージ商品等の該パッケージ内に販売または頒布品であることを個々に識別可能とする記号・数字・文字などよりなる識別表示を印刷したカード等を内挿して販売または頒布し、該商品等を入手した購買者等は開封して販売者等が指定するコンピュータにインターネット回線や電話回線等にて交信して前記識別表示を提示し、提示した識別表示が真正と認知されたときに購買者等はアンケート回答および懸賞付き抽選・ゲームやクイズなどのコンピュータ交信のステップに進み得るようにしたことを特徴とする商品等の販売促進方法である。
【０００５】
なお、 瓶やペットボトルなどの商品等に販売または頒布品であることを個々に識別可能とする記号・数字・文字などよりなる識別表示を開封しなければ見えないように印刷して首掛け等の要領にて添付して販売または頒布し、該商品等を入手した購買者等は開封して販売者等が指定するコンピュータにインターネット回線や電話回線等にて交信して前記識別表示を提示し、提示した識別表示が真正と認知されたときに購買者等はアンケート回答および懸賞付き抽選・ゲームやクイズなどのコンピュータ交信のステップに進み得るようにした商品等の販売促進方法も同様の特許文献１に示されている。
【０００６】
また、 販売または頒布品であることを個々に識別可能とする記号・数字・文字などよりなる識別表示を販売または頒布品のパッケージや台紙，カード形状商品に直接印刷し、または前記識別表示を印刷したカード等を販売または頒布する商品と一緒に購買者等に渡し、該商品とともに前記識別表示を入手した購買者等は販売者等が指定するコンピュータにインターネット回線や電話回線等にて交信して該識別表示を提示し、提示した識別表示が真正と認知されたときに購買者等はアンケート回答および懸賞付き抽選・ゲームやクイズなどのコンピュータ交信のステップに進み得るようにした商品等の販売促進方法も同様の特許文献１に示されている。
【０００７】
この場合は、この識別表示を入手した購買者等がインターネット回線や電話回線等を介して該識別表示を提示することにより記憶されている識別表示との照合により同一識別表示の提示による複数交信を防止することを含めて販売者等の真正認知を得ることができるようにし、真正認知を得た購買者等がアンケート回答や懸賞付き抽選・ゲームやクイズ等
の交信へとステップアップできるように処理して、該交信により入力されたアンケートデータや購買者等のデータを分析分類の処理を含めて記憶蓄積し、蓄積されたデータの照合により同一人の多重登録を防止し、また同一人による複数商品の購買の情報を蓄積し、蓄積された購買者等のデータをもとに販売者等の提供したい情報を購買者等に自動的且つ選択的に発信できるようにしたことも知られている。
【０００８】
また、購買者等が該識別表示をインターネット回線や電話回線等を介して提示することにより識別表示の不正使用防止を含めて販売者等の真正認知を得ることができるようにした手段と、真正認知を得た購買者等をアンケート回答や懸賞付き抽選・ゲームやクイズ等の交信域へとステップアップ処理する手段と、該交信により入力されたアンケートや購買者等のデータを分析分類の処理を含めてデータベース化して記憶蓄積する手段と、蓄積されたデータとの照合により同一人の多重登録を防止するとともに同一人による複数商品の購買情報をデータベース化して蓄積する手段および蓄積された購買者等のデータをもとに販売者等の提供したい情報を購買者等に自動的且つ選択的に発信する手段とを備えたコンピュータシステムを構築することも知られている。
【０００９】
特許文献は以下の通り。
【特許文献１】特開２００３−３０３７２号公報
【発明の開示】
【発明が解決しようとする課題】
【００１０】
しかし、この様な従来技術においては、購買者等は当選か否かは少なくとも把握していない状態で実際にインターネット回線や電話回線等を介して接続しなければならず、接続の意欲が低下しがちで販促効果が限られていた。
【００１１】
また、アクセスは最終的に当選する者だけではなく全ての参加者がアクセスすることとなるため、アクセス数が膨大になり、そのための通信環境、すなわちインターネットの場合においてはそのＷＥＢサーバーの処理速度や処理容量や通信回線の太さなどの設備容量を高くしなければならなかったとともに、この懸賞全体に係る管理業務も煩雑になり、管理費用も多大であった。
【００１２】
さらに、当選するか不明の状態で応募する者は特に賞品に興味があるとか、学生の様に自由時間が比較的多い者の応募比率が高くなるなど、応募が特定の者に偏る傾向が必ずしも否定できなかった。
【００１３】
そこで、当選か否かが開封等により容易に把握することが可能になり、無駄なアクセスを減らすことが可能になる技術が求められていた。また、広い範囲の利用者が望め、より裾野の広い販売促進や広告効果や調査結果が得られ易い技術が求められていた。
【００１４】
また、アクセス数が少なくて済み、通信環境、すなわちインターネットの場合においてはそのＷＥＢサーバーの処理速度や処理容量や通信回線の太さなどの設備容量に対する投資を低くすることが可能になるとともに、場合分け処理などが少なくて済み、この懸賞全体に係る管理業務も簡単になる技術が求められていた。
【課題を解決するための手段】
【００１５】
上記課題を解決する為に、まず本発明の第１の発明は、すくなくとも当選か否かを表示する懸賞対象品に対し当選した場合のみ識別記号を表示するとともに、通信回線を介して当選による応募を受け付ける場合に前記識別記号を用いて認証するサーバを運営することを特徴とする懸賞方法を提供するものである。
【００１６】
また、本発明の第２の発明は、すくなくとも当選か否かを表示する懸賞対象品が、当選した場合のみ識別記号を表示するとともに、前記当選か否かの表示と前記識別記号の表示位置が、懸賞対象品の販売もしくは頒布時に見えない位置であることを特徴とする懸賞対象品を提供するものである。
【発明の効果】
【００１７】
購買者等の本懸賞方法の利用者の立場からは当選か否かが開封等により容易に把握することが可能になり、実際にインターネット回線や電話回線等を介して接続する前から確認することが可能になり、無駄なアクセスを減らすことが可能になる。
【００１８】
懸賞等の主催者や運営者、懸賞対象品の販売者や頒布者にとっては、既に当選している者のみが応募するため、特殊な利用者のみならず一般に近い広い範囲の利用者が望め、より裾野の広い販売促進や広告効果や調査結果が得られ易い。
【００１９】
また、アクセスは最終的に当選する者だけなので、アクセス数が少なくて済み、通信環境、すなわちインターネットの場合においてはそのＷＥＢサーバーの処理速度や処理容量や通信回線の太さなどの設備容量に対する投資を低くすることが可能になるとともに、当選の場合のみの処理となるために場合分け処理などが少なくて済み、この懸賞全体に係る管理業務も簡単になった。
【発明を実施するための最良の形態】
【００２０】
本発明の懸賞対象品は、販売、レンタル等の頒布等の対象になる様な、販売者や主催者、貸与者等が有償無償を問わず購入者などの利用者に渡される物であり、商品等そのものだけではなく、そのパッケージや同封内容物等を含む物であって、すくなくともその一部に当選した場合の応募に必要な識別記号が印刷、シール貼付、刻印等の各種手段により付属している各種の物のうち何れかであれば良い。
【００２１】
なお、配布、交付、販売等のときに当選した懸賞対象物を配布等を受ける者の間で不公平のない様に、識別記号は販売等のときに外部から見えない位置に当選か否かや識別記号が付属させるのが好ましいが、手渡しなどにより不公平がない場合もあるので、この要件は必須ではない。見えない様にする工夫は、パッケージ内部に印刷する、商品そのものに印刷する、同封する、削れる材料でオーバープリントするなど、どの様な手段を用いるものでも良い。
【００２２】
また、当選か否かの表示は、単に当選か否かでも良いが、等級や賞品の種類が分かれている場合には、その等級や賞品の種類を示すものでも示さないものでも良く、一長一短である。また、識別記号は当選の場合のみ表示するものであるが、はずれの場合には代替の表示をなすものでも、何等表示しないものでも構わない。この様な表示は、懸賞対象品の製造過程においてその一部として印字等でなす方法や、当選品だけオフラインにて別個付与する方法も可能である。
【００２３】
当選した者は、通信回線を介して懸賞を応募する必要があるが、その場合の通信回線は、携帯電話、インターネット、双方向テレビなど、各種通信手段によりなすことが可能である。
【００２４】
応募においては、識別記号の受理が必須であるが、同一の識別記号による複数のアクセスを防止するために、２度目以降の応募を無効にする等の処置を行うことも可能である。また、この識別記号は数字のみの配列でも構わないが、英字等の混合や、その他の文字の混合なども有効である。
【００２５】
応募を受けるには、賞品の交付に必要な情報も受け入れる必要がある。この場合の賞品がユーザーポイントの様な実物ではないバーチャルなものである場合にはユーザーＩＤ等だけで良いが、実物の賞品等である場合には発送に必要な氏名住所等の入力が必須となり、これを受け入れる仕組みが必要となる。もちろん、この様な仕組みは全て主催者等が備える必要はなく、外部のレンタルサーバ等を用いてこの様な仕組みを整えることも可能である。
【００２６】
また、応募で収集する情報は、最低限賞品の交付に必要な情報を含むものであるが、この他に各種必須な、もしくは任意なアンケート等を行うことも可能である。
【実施例１】
【００２７】
本発明の一実施例を、図１から図９の各図面を用いて以下詳細に説明する。もちろん、以下の例は一実施例であり、権利範囲内で各種変形実施が可能である。
【００２８】
本実施例の懸賞対象品は、賞品とそのパッケージからなっており、図１にはそのパッケージ５のみを開封状態で示している。パッケージには当選か否かの表示１として「２等アタリ」という表示が、識別記号２として「ＡＢＣ１２３４」という表示がなされいる。このパッケージの販売時においては、この内部に商品（図示せず）を入れ、蓋が閉まっている状態で販売される。この販売状態では、パッケージ５の本体と蓋により、当選か否かの表示１として「２等アタリ」という表示と識別記号２として「ＡＢＣ１２３４」という表示の両方を外部から認識することができない。
【００２９】
対して、図２には懸賞対象品がはずれである場合を示している。図１と同様にこの懸賞対象品は、賞品とそのパッケージからなっており、そのパッケージ５のみを開封状態で示している。パッケージには当選か否かの表示３として「ハズレ」という表示が、識別記号２に代わって案内４として「残念！次回にご期待を」という表示がなされいる。このパッケージの販売時においては、この内部に商品（図示せず）を入れ、蓋が閉まっている状態で販売される。この販売状態では、パッケージ５の本体と蓋により、当選か否かの表示３として「ハズレ」という表示と識別記号２に代わって案内４として「残念！次回にご期待を」という表示の両方を外部から認識することができない。
【００３０】
従って、販売時に外部からはあたりである懸賞対象品とはずれである懸賞対象品を区別することは開封しないかぎり行うことができない構造となっている。対して、開封した場合、即座にあたりかはずれかがはっきり分かり、あたりの懸賞対象品を開封した者を応募へと誘引しやすい様になっている。
【００３１】
次に本実施例に係る懸賞を受け付けるサーバについて説明する。本実施例のサーバは比較的簡易な懸賞に用いられる場合の構成を示している。ブロック図で示せば図３の様な構成をとっており、バスライン１０上にＣＰＵ１１、ＲＯＭ１２、ＲＡＭ１３、Ｉ／Ｏ１４、記憶装置１５、プリンタ２０、キーボード２１、ディスプレイ２２が接続している。ＣＰＵ１１、ＲＯＭ１２、ＲＡＭ１３はデータ処理にために主に、プリンタ２０、キーボード２１、ディスプレイ２２はデータ処理や発送処理などの表示やプリント出力のために主に使われる。
【００３２】
Ｉ／Ｏ１８はさらに公衆回線１８に接続され、この公衆回線１８を通じて利用者端末１９に接続されており、双方向にアクセスが可能になっている。他方、記憶装置１５は各種の情報が記憶されているが、当選データ領域１６と当選者データ領域１７をその一部に含む。この当選データ領域１６には、識別記号と当選か否かおよび何等に当選したかを判別するのに必要な情報、それに既に当選の認証に使われた否かの情報が含まれている。また
、当選者データ領域１７には、当選した者の商品発送に必要な氏名、住所、およびアンケート結果である性別、味などの情報を書き込む区画となっており、当初は空のデータもしくはダミーデータのみとなっている。
【００３３】
実際のサーバの動作としては、図４の様なフローにより処理されている。まず、懸賞受付期間中は常にアクセス待ちＳ３１の状態が初期状態になっている。アクセスがあると、ガイダンス画面表示処理Ｓ３２がなされる。このときのガイダンス画面は、図５に示す様なガイダンス表示と、アタリの場合にジャンプすべきボタン６１からガイダンス画面５１が構成されている。
【００３４】
ここで利用者がこのボタン６１をマウス等で押すと、次の識別記号入力画面表示処理Ｓ３３に進む、このときの識別記号入力画面は、図６に示す様に、識別記号入力ウインドウ６１に識別記号を入力することを利用者に促す様な表示と識別記号入力ウインドウ６１からなる識別記号入力画面５２から構成されており、識別記号が入力されるまで識別記号入力待処理Ｓ３４となっている。
【００３５】
この識別記号入力待処理Ｓ３４で識別記号入力ウインドウ６１に識別記号が入力されると確認チェック照合処理Ｓ３５に進む。ここでは、識別記号入力ウインドウ６１に入力された識別記号を認識し、当選データ領域内の当選データと照合して、当選か否か、および当たった等級がどの等級かを判定する。この判定結果が「当選」であれば当選者データ入力画面表示処理Ｓ３７に進み、判定結果が「当選でない」場合には照合付加表示画面処理Ｓ３６に進む。
【００３６】
もし判定結果が「当選でない」場合で照合不可表示画面処理Ｓ３６に進んだ場合には図９の様な照合が行えなかった旨の表示と終了ボタン７３からなる照合不可表示画面５５を表示し、終了ボタン７３が押された場合はいったんすべての処理を終了し、アクセス待ち処理Ｓ３１に戻る。
【００３７】
他方、もし判定結果が「当選」であったので当選者データ入力画面表示処理Ｓ３７に進んだ場合は、図７の様な当選者データ入力画面５３が表示される。この当選者データ入力画面５３には、性の入力を促すウインドウ６３、名の入力を促すウインドウ６４、性別を選択するラジオボタン６５、住所のうち都道府県の入力を促すウインドウ６６、市区町村の入力を促すウインドウ６７、その他の住所の入力を促すウインドウ６８、味のアンケートを行うラジオボタン６９、要望の入力を促すウインドウ７０、全ての入力を行った場合にこれらの送信を行う送信ボタン７１、およびそれらの表示からなている。それらの送信を受け付けた場合には当選者データ記録処理Ｓ３９に進む。
【００３８】
当選者データ記録処理Ｓ３９では、送信を受けた当選者データを当選者データ領域１７の該当するところに書き込むとともに、当選データ領域１６にこの識別記号が使用された旨を書き込む。これらの処理が全て終わったところで受付完了画面表示処理Ｓ４０へと進む。
【００３９】
最後の受付完了画面表示処理Ｓ４０においては、図８に示す様な受付完了画面５４表示を行う。この受付完了画面５４は、受付が完了した旨と、そのたの注意事項、それに終了ボタン７２からなっており、終了ボタン７２が押された場合はいったんすべての処理を終了し、アクセス待ち処理Ｓ３１に戻る。
【００４０】
なお、必要に応じて個人情報保護の各法規に合わせた表示や処理が必要な場合はその様な処理がなされるが、法規的に強制されない場合においても、その趣旨に合致する場合にはそれらの表示がなされるのが好ましい。
【実施例２】
【００４１】
やや中程度のシステム構成を持つ場合の懸賞方法を以下説明する。サーバは単一の実体サーバから構成されるのではなく、図１０の様な各種の機能サーバの複合体として構成されている。利用者端末１９からのアクセスがインターネット回線１９を通じてアクセスされる場合には、アクセスは直接内部ゾーン１０１に行うことはファイアーウォール１１１の設定により禁止されており、デミリタライズドゾーン１０２内の各機器とのアクセスのに可能である。
【００４２】
当選の場合の一般的アクセスとしては具体的には、デミリタライズドゾーン１０２内のＷＥＢサーバ１１２とのアクセスが可能である。このＷＥＢサーバ１１２では、利用者端末との表面的アクセスを行うが、ＷＥＢ表示以外のコンタクト方法として、メールサーバ１１３とのアクセスも可能になっている。
【００４３】
ＷＥＢサーバ１１３はファイアーウォール１１１を通じて当選照合サーバ１１６とアクセス可能であり、当選者データ１１５へ書き込み可能である。他方、当選照合サーバ１１６はＷＥＢサーバ１１２とアクセス可能であるだけではなく当選データ１１４と当選者データ１１５とアクセス可能であり、発送処理サーバ１１７は当選者データ１１５とアクセス可能であり、分析サーバ１１８も当選者データ１１５とアクセス可能であり、これにより発送処理サーバ１１７は発送処理が出来、分析サーバ１１８では当選者の属性やアンケート結果を分析することが可能な構成となっている。
【００４４】
この様な構成は、個人情報を取り扱う上でのセキュリティーを考慮した構成であり、さらに詳細な構成も可能である。その他、処理内容については実施例１に準じた処理や構成のものとする。
【産業上の利用可能性】
【００４５】
本発明は、当選可能性がある懸賞対象品を販売もしくは頒布し、受領した者が通信回線を介して応募する仕組みの懸賞方法、およびその懸賞に用いる懸賞対象品である、販売、レンタル等の頒布等の対象になる様な、販売者や主催者、貸与者等が有償無償を問わず購入者などの利用者に渡される物などに応用可能であり、商品等そのものだけではなく、そのパッケージや同封内容物等を含む物であって、すくなくともその一部に当選した場合の応募に必要な識別記号が印刷、シール貼付、刻印等の各種手段により付属している各種の物のうち何れかであれば適用可能である。
【図面の簡単な説明】
【００４６】
【図１】図１は、当たりの場合の懸賞対象品の一部である商品のパッケージの開封状態を示す概念斜視図である。
【図２】図２は、図１と同様の懸賞対象品におけるはずれの場合の懸賞対象品の一部である商品のパッケージの開封状態を示す概念斜視図である。
【図３】図３は、本願の懸賞方法に用いる懸賞処理環境を示すブロック図である。
【図４】図４は、図３の懸賞処理環境におけるサーバのフローチャートである。
【図５】図５は、図４のフローチャートにおける処理時の利用者の端末における画面を表示する概念図である。
【図６】図６は、図４のフローチャートにおける図５とは別な処理時の利用者の端末における画面を表示する概念図である。
【図７】図６は、図４のフローチャートにおける図５や図６とは別な処理時の利用者の端末における画面を表示する概念図である。
【図８】図６は、図４のフローチャートにおける図５、図６や図７とは別な処理時の利用者の端末における画面を表示する概念図である。
【図９】図６は、図４のフローチャートにおける図５、図６、図７や図８とは別な処理時の利用者の端末における画面を表示する概念図である。
【図１０】図１０は、図３とは違う本願の懸賞方法に用いる懸賞処理環境を示すブロック図である。
【符号の説明】
【００４７】
１、３  当選か否かの表示
２  識別記号
４  案内
５  パッケージ
１０  バスライン
１１  ＣＰＵ
１２  ＲＯＭ
１３  ＲＡＭ
１４  Ｉ／Ｏ
１５  記憶装置
１６  当選データ領域
１７  当選者データ領域
１８  公衆回線
１９  利用者端末
２０  プリンタ
２１  キーボード
２２  ディスプレイ
Ｓ３１〜Ｓ４０  処理
Ｓ３２、Ｓ３３、Ｓ３６、Ｓ３７、Ｓ４０  画像表示処理
Ｓ３１、Ｓ３４、Ｓ３８  入力待ち処理
Ｓ３５  判断分岐処理
Ｓ３９  データ記憶処理
５１〜５５  端末画像
６１、７１、７２、７３  ボタン
６２、６３、６４、６６、６７、６８、７０  入力ウインドウ
６５、６９  ラジオボタン
１０１  内部ゾーン
１０２  デミライタライズドゾーン
１１１  ファイアーウォール
１１２  ＷＥＢサーバ
１１３  メールサーバ
１１４  当選データ
１１５  当選者データ
１１６  当選照合データ
１１７  発送処理サーバ
１１８  分析サーバ
１１９  インターネット回線
１２０  利用者端末
【図１】
2005182416.tif 000003
【図２】
2005182416.tif 000004
【図３】
2005182416.tif 000005
【図４】
2005182416.tif 000006
【図５】
2005182416.tif 000007
【図６】
2005182416.tif 000008
【図７】
2005182416.tif 000009
【図８】
2005182416.tif 000010
【図９】
2005182416.tif 000011
【図１０】
2005182416.tif 000012